(57)【要約】      （修正有）【課題】構成が簡単で持ち運び易く、履いた状態で歩行が可能な足浴ブーツを提供する。【解決手段】靴底１１と、靴底の周囲に下端部が固定された足覆い１２と、足覆いの上端部にその下端部が連接した筒状の下腿部覆い１３とを有する足浴ブーツ１０であり、靴底と足覆いと下腿部覆いは、独立気泡を有するゴムシートの外表面に合成繊維からなるジャージ生地が設けられたシート材１７で構成され、靴底、足覆い、及び、下腿部覆いは、使用者の足１２ａ及び下腿部１３ａよりも大きく形成され、使用にあっては、足覆い及び下腿部覆いの内面と、足覆い及び下腿部覆いに収容された使用者の足及び下腿部との間に、下腿部覆いの上側開口部１５から供給した湯１６を貯留できる空隙部１４が形成される。下腿部覆いの上側外表面には、上側開口部の開口面積を減少させ足に密着させるバンド部材３０が設けられている。【選択図】図１
0003217873.tif 000002
【実用新案登録請求の範囲】
【請求項１】
靴底と、該靴底の周囲に下端部が固定された足覆いと、該足覆いの上端部にその下端部が連接した筒状の下腿部覆いとを有する足浴ブーツであって、
前記靴底と前記足覆いと前記下腿部覆いは、独立気泡を有するゴムシートの外表面に合成繊維からなるジャージ生地が設けられたシート材で構成され、
前記靴底、前記足覆い、及び、前記下腿部覆いは、使用者の足及び下腿部よりも大きく形成され、使用にあっては、前記足覆い及び前記下腿部覆いの内面と、該足覆い及び該下腿部覆いに収容された前記使用者の足及び下腿部との間に、前記下腿部覆いの上側開口部から供給した湯を貯留できる空隙部が形成されることを特徴とする足浴ブーツ。
【請求項２】
請求項１記載の足浴ブーツにおいて、前記下腿部覆いの上側外表面には、該下腿部覆いの前記上側開口部の開口面積を減少させるバンド部材が設けられていることを特徴とする足浴ブーツ。
【請求項３】
請求項２記載の足浴ブーツにおいて、前記シート材は、第１〜第３の分割シートからなり、前記靴底が前記第１の分割シートで構成され、前記足覆い及び前記下腿部覆いの幅方向一側が前記第２の分割シートで構成され、前記足覆い及び前記下腿部覆いの幅方向他側が前記第３の分割シートで構成され、
前記第１〜第３の分割シートのそれぞれの突合せ部は、接着と縫合により接合されていることを特徴とする足浴ブーツ。
【請求項４】
請求項２又は３記載の足浴ブーツにおいて、前記靴底を構成する前記シート材の前記ジャージ生地の外側表層部には、滑り止め機能を備えた補強部材が一体的に設けられていることを特徴とする足浴ブーツ。
【請求項５】
請求項２又は３記載の足浴ブーツにおいて、前記靴底の外表面には、滑り止め機能を備えた補強部材が貼付けられていることを特徴とする足浴ブーツ。
【考案の詳細な説明】
【技術分野】
【０００１】
本考案は、足浴に用いるブーツに係り、更に詳細には、履いた状態で歩行が可能な足浴ブーツに関する。
【背景技術】
【０００２】
人々は、身体を清潔にすると共に疲労回復を図るため、風呂に入って体を洗い、浴槽内の湯につかって身体の血行を促進させ新陳代謝を良くしている。
しかし、疲労回復を図るために、例えば、１日に何度も風呂を沸かして湯につかるというのは身体的に大変であり、また、競技者が競技の合間に湯につかるというのは時間的にできなかった。
そこで、以下に示す特許文献１、２の技術が提案されている。
【０００３】
特許文献１には、足首を覆う程度の高さを有し、内部に湯を入れることが可能な足湯ブーツが記載されている。
特許文献２に記載の足温器は、湯水が充填される湯水充填容器と、この湯水充填容器内の底部に設ける断熱性の底板と、湯水充填容器の底部外側に敷設する加熱手段と、湯水充填容器内の湯温を制御する制御装置と、足に装着して湯水が充填された湯水充填容器内に挿入するブーツとからなる。
【先行技術文献】
【特許文献】
【０００４】
【特許文献１】特開２００４−１１３７２４号公報
【特許文献２】特開平１１−１７８８５０号公報
【考案の概要】
【考案が解決しようとする課題】
【０００５】
しかしながら、前記従来の技術には、未だ解決すべき以下のような問題があった。
特許文献１に記載の足湯ブーツは、ブーツ型であるため、使用時に足を自由に動かすことはできるが、高さが低いため、足湯ブーツを履いた状態で足を動かした場合（例えば、歩行した場合）、内部の湯が外部へ漏れ出してしまう。なお、湯の漏れ出しをなくすため、足湯ブーツへの湯の供給量を減らすことも考えられるが、この場合、湯温の低下が著しくなるため、湯の入れ替え頻度が多くなって作業性が悪く、また、疲労回復の効果も低下する。
特許文献２に記載の足温器は、装置構成が複雑であるため、簡単に持ち運ぶことができない。
【０００６】
本考案はかかる事情に鑑みてなされたもので、構成が簡単で持ち運び易く、履いた状態で歩行が可能な足浴ブーツを提供することを目的とする。
【課題を解決するための手段】
【０００７】
前記目的に沿う本考案に係る足浴ブーツは、靴底と、該靴底の周囲に下端部が固定された足覆いと、該足覆いの上端部にその下端部が連接した筒状の下腿部覆いとを有する足浴ブーツであって、
前記靴底と前記足覆いと前記下腿部覆いは、独立気泡を有するゴムシートの外表面に合成繊維からなるジャージ生地が設けられたシート材で構成され、
前記靴底、前記足覆い、及び、前記下腿部覆いは、使用者の足及び下腿部よりも大きく形成され、使用にあっては、前記足覆い及び前記下腿部覆いの内面と、該足覆い及び該下腿部覆いに収容された前記使用者の足及び下腿部との間に、前記下腿部覆いの上側開口部から供給した湯を貯留できる空隙部が形成される。
【０００８】
本考案に係る足浴ブーツにおいて、前記下腿部覆いの上側外表面には、該下腿部覆いの前記上側開口部の開口面積を減少させるバンド部材が設けられていることが好ましい。
【０００９】
本考案に係る足浴ブーツにおいて、前記シート材は、第１〜第３の分割シートからなり、前記靴底が前記第１の分割シートで構成され、前記足覆い及び前記下腿部覆いの幅方向一側が前記第２の分割シートで構成され、前記足覆い及び前記下腿部覆いの幅方向他側が前記第３の分割シートで構成され、
前記第１〜第３の分割シートのそれぞれの突合せ部は、接着と縫合により接合されていることが好ましい。
【００１０】
ここで、前記靴底を構成する前記シート材の前記ジャージ生地の外側表層部には、滑り止め機能を備えた補強部材を一体的に設けることができる。
また、前記靴底の外表面には、滑り止め機能を備えた補強部材を貼付けることもできる。
【考案の効果】
【００１１】
本考案に係る足浴ブーツは、靴底と足覆いと下腿部覆いで構成されたブーツ型であるので、持ち運びが容易である。この靴底と足覆いと下腿部覆いは、独立気泡を有するゴムシートの外表面に合成繊維からなるジャージ生地が設けられたシート材で構成されているので、防水構造となり、保温性を確保できると共に伸縮も可能である。
また、靴底と足覆いと下腿部覆いは、使用者の足及び下腿部よりも大きく形成され、使用にあっては、足覆い及び下腿部覆いの内面と、使用者の足及び下腿部との間に、空隙部が形成されるので、この空隙部に湯を供給することにより、足浴ブーツ内に湯を貯留できる。なお、足浴ブーツは下腿部覆いを有し、その高さが使用者の膝近傍まで高くなっているため、使用者が足浴ブーツを履いた状態で足を動かしても（例えば、歩行しても）、外部への湯の漏れ出しを抑制、更には防止でき、使用者の下腿部まで温めることができ、より疲労回復の効果が得られる。
従って、構成が簡単で持ち運び易く、履いた状態で歩行が可能な足浴ブーツを提供できる。
【００１２】
特に、下腿部覆いの上側外表面に、下腿部覆いの上側開口部の開口面積を減少させるバンド部材が設けられている場合、足浴ブーツ内に使用者の足及び下腿部と湯を入れた状態で、バンド部材により下腿部覆いの上側開口部の開口面積を減少させることにより、下腿部覆いの上側内表面を使用者の下腿部に密着させることができる。これにより、空隙部に供給する湯の量を多く（湯の貯留高さを高く）しても外部への湯の漏れ出しを抑制、更には防止できると共に、湯の放熱も抑制できるため、疲労回復の効果が更に高められる。
【００１３】
また、靴底と足覆いと下腿部覆いを構成するシート材は、第１〜第３の分割シートからなり、第１〜第３の分割シートのそれぞれの突合せ部が、接着と縫合により接合されている場合、足浴ブーツの構成を簡単にできると共に意匠性も向上できる。
【図面の簡単な説明】
【００１４】
【図１】本考案の一実施の形態に係る足浴ブーツの側面図である。
【図２】同足浴ブーツの平面図である。
【図３】図２のＡ−Ａ´矢視断面図である。
【図４】変形例に係る足浴ブーツの下腿部覆いの部分平面図である。
【考案を実施するための形態】
【００１５】
続いて、添付した図面を参照しつつ、本考案を具体化した実施の形態につき説明し、本考案の理解に供する。
図１〜図３に示すように、本考案の一実施の形態に係る足浴ブーツ１０は、靴底１１と足覆い１２と下腿部覆い１３とを有し、構成が簡単で持ち運び易く、履いた状態で歩行することができるものである。なお、図１〜図３に示す足浴ブーツ１０は、左右対となって使用されるうちの左側（片側）のブーツ（使用者の左側の足１２ａに履くブーツ）であり、右側のブーツ（使用者の右側の足に履くブーツ）は足浴ブーツ１０とは鏡面対称となって同一構造であるため、以下、左側の足浴ブーツ１０について説明する。
【００１６】
靴底１１は、使用者の足裏（足底）形状より大きく（足長（踵からつま先までの長さ）と足幅よりそれぞれ、例えば、２〜５ｃｍ程度大きく）形成されている。
足覆い１２は、靴底１１の周囲に下端部が固定され、使用者の足首程度までを覆うものであり、使用にあっては使用者の足１２ａの甲等に密着しないように大きく（足囲より、例えば、３〜１５ｃｍ程度大きく）形成されている。
下腿部覆い１３は、足覆い１２の上端部にその下端部が連接され、使用者の膝下程度（すねとふくらはぎ）までを覆う筒状のものであり、使用にあっては使用者の下腿部１３ａの表面に密着しないように大きく（下腿部１３ａの周囲より、例えば、３〜１５ｃｍ程度大きく）形成されている。
【００１７】
このように、靴底１１と足覆い１２と下腿部覆い１３は、使用者の足１２ａ及び下腿部１３ａよりも大きく形成されているので、使用にあっては、足覆い１２及び下腿部覆い１３の内面と、足覆い１２及び下腿部覆い１３に収容された使用者の足１２ａ及び下腿部１３ａとの間に、空隙部１４を形成できる。
この空隙部１４は、下腿部覆い１３の上側開口部１５から供給した湯１６を貯留する領域であり、その容積（湯１６の貯留量）は、靴底１１、足覆い１２、及び、下腿部覆い１３の内容積と、使用者の足１２ａ及び下腿部１３ａの体積との関係によって、種々変動する。
【００１８】
靴底１１と足覆い１２と下腿部覆い１３は、シート材１７で構成されている。
シート材１７は、第１〜第３の分割シート１８〜２０からなり、靴底１１が第１の分割シート１８で構成され、足覆い１２及び下腿部覆い１３の幅方向一側（図２、図３では左側）が第２の分割シート１９で構成され、足覆い１２及び下腿部覆い１３の幅方向他側（図２、図３では右側）が第３の分割シート２０で構成されている。即ち、第２の分割シート１９と第３の分割シート２０は、足浴ブーツ１０をつま先側から視て、左右に分離（二分割）された形状となっている。
【００１９】
この第１の分割シート１８は、図３に示すように、独立気泡を有するゴムシート（例えば、クロロプレンゴム）２１の外表面に合成繊維からなるジャージ生地２２が設けられたものである。また、第２、第３の分割シート１９、２０も同様に、独立気泡を有するゴムシート２３の外表面に合成繊維からなるジャージ生地２４が設けられたものである。
第１の分割シート１８を構成するゴムシート２１の内表面（使用者の足１２ａの裏に接する面）は滑らかな面であり、第２、第３の分割シート１９、２０を構成するゴムシート２３の内表面（使用者の足１２ａの甲及び下腿部１３ａに接する面）には、例えば、シャークスキン加工により多数の滑り止め突起が設けられているが、滑らかな面でもよい。なお、ゴムシート２１の内表面に合成繊維からなるジャージ生地を設けてもよい。
この第２、第３の分割シート１９、２０のゴムシート２３の厚みは、例えば、３〜８ｍｍ程度（ここでは５ｍｍ）であり、第１の分割シート１８のゴムシート２１の厚みは、第２、第３の分割シート１９、２０のゴムシート２３よりも厚く、例えば、５〜１５ｍｍ程度である。
【００２０】
第１〜第３の分割シート１８〜２０のゴムシート２１、２３が有する独立気泡の直径は、例えば、０．０５〜１ｍｍ、独立気泡の気泡率は、例えば６０〜９５％（体積％）である。
ここで、独立気泡の直径が０．０５ｍｍ未満又は気泡率が６０％未満の場合、保温性が低下し易く、また、ゴムシートが押圧されても変形し難く（柔軟性が過小になって）、ゴムシートからの反発力が過大となる（衝撃吸収性とクッション性が過小になる）ため好ましくない。一方、独立気泡の直径が１ｍｍ超又は気泡率が９５％超の場合、ゴムシートが押圧されると容易に変形して（柔軟性が過剰になって）、ゴムシートから反発力が得られない（衝撃吸収性とクッション性が過小になる）ため好ましくない。
従って、ゴムシート２１、２３が有する独立気泡の直径を０．０５〜１ｍｍ（好ましくは、下限を０．１ｍｍ、上限を０．８ｍｍ）とし、独立気泡の気泡率を６０〜９５％（好ましくは、下限を７０％、上限を９０％）とした。
【００２１】
第１の分割シート１８のジャージ生地２２は、厚みが、例えば、０．３〜２ｍｍ程度であり、第２、第３の分割シート１９、２０のジャージ生地２４の厚みよりも厚くなっている。ジャージ生地２２、２４は、ゴムシート２１、２３の表面に、接着又は縫合により、あるいは接着及び縫合により設けられている。
ジャージ生地２２、２４は、ゴムシート２１、２３の変形に合わせて伸び縮みすることができるため、ゴムシート２１、２３の表面からジャージ生地２２、２４が分離する（剥離する）ことを防止できる。このジャージ生地２２、２４を形成している合成繊維としては、例えば、ナイロン繊維、ポリエステル繊維、ポリプロピレン中空糸繊維、及び、ポリエチレン繊維のいずれか１を使用できる。特に、ポリエチレン繊維等の撥水性に優れた繊維からなるジャージ生地を用いることで、表面の乾燥状態を維持することが容易になると共に、洗浄後の乾燥も容易となる。
【００２２】
第２の分割シート１９と第３の分割シート２０は、足浴ブーツ１０の前側と後ろ側が突合せ部（接合部）２５、２６で接合されている。この第２、第３の分割シート１９、２０の下側端部と第１の分割シート１８の周縁部（周囲）も、突合せ部（接合部）２７で接合されている。
各突合せ部２５〜２７は、防水性と強度を確保するために、接着剤と縫合（糸による掬い縫い）によって接合されている。具体的には、ゴム系接着剤を用いて、第１の分割シート１８のゴムシート２１と第２、第３の分割シート１９、２０のゴムシート２３の突合せ部２７、第２の分割シート１９のゴムシート２３と第３の分割シート２０のゴムシート２３の突合せ部２５、２６をそれぞれ向かい合わせて接合し、その上から十分な強度を有する合成樹脂製の糸２８（例えば、ナイロン等）を用いて、第１の分割シート１８のゴムシート２１及びジャージ生地２２と、第２、第３の分割シート１９、２０のゴムシート２３及びジャージ生地２４との掬い縫い、第２の分割シート１９のゴムシート２３及びジャージ生地２４と、第３の分割シート２０のゴムシート２３及びジャージ生地２４との掬い縫いを、それぞれ行っている。なお、縫合は、糸２８がゴムシート２１、２３の厚みの外側半分を通るようにして行われ、内側半分には糸通し孔を設けないようにするのが好ましく、これによって、防水性を確保できると共に、接合部分の強度を確保できる。
【００２３】
靴底１１を構成する第１の分割シート１８のジャージ生地２２の外側表層部には、滑り止め機能を備えた補強部材２９が一体的に設けられている。
補強部材２９は、例えば、ゴム系の液体樹脂（例えば、ラジアル液）をジャージ生地２２の外側表面から塗り込んで乾燥させる作業を、複数回繰り返すことで積層させ、形成されている。
なお、滑り止め機能を備えた補強部材としては、靴底１１の外表面に貼付けるものを使用することもできる。
【００２４】
下腿部覆い１３の上側外表面には、図１に示すように（図２、図３では省略）、下腿部覆い１３の上側開口部１５の開口面積を減少させるバンド部材３０が設けられている。このバンド部材３０は帯状のものであり、その長手方向基側が下腿部覆い１３の上側外表面（対となる足浴ブーツの内側：図１では奥側、図２、図３では右側）に、バンド部材３０の長手方向が下腿部覆い１３の高さ方向とは直交するように、取付け固定されている。
バンド部材３０には、多数のループを備えたループテープ３１と、このループに係止可能な多数のフックを備えたフックテープ３２とで構成される面ファスナー（面状ファスナー）３３が設けられている。このループテープ３１は、バンド部材３０の長手方向基側の表面側（下腿部覆い１３への取付け面側とは反対側）に、フックテープ３２は、バンド部材３０の長手方向先側の裏面側に、それぞれ設けられている。
【００２５】
使用にあっては、バンド部材３０の長手方向先側を、下腿部覆い１３の後ろ側から使用者の横側（対となる足浴ブーツの外側）へ引っ張り、ガイド３４を通過させ、下腿部覆い１３の前側から使用者の横側（対となる足浴ブーツの内側）に引っ張って、フックテープ３２をループテープ３１に押し付ける（バンド部材３０で下腿部覆い１３の上側開口部１５を絞る）。
これにより、下腿部覆い１３の上側開口部１５の開口面積を減少させることができ、下腿部覆い１３の上側内表面を使用者の下腿部１３ａに密着させることができる。
【００２６】
なお、下腿部覆い１３の上側開口部１５の開口面積を減少させる構成は、上記した構成に限定されるものではない。
例えば、紐材を用いて下腿部覆い１３の上側を縛る構成とすることもできる。
また、図４に示すように、下腿部覆い４０の上端位置から、上下方向に沿って切り込み４１を入れ（例えば、上端位置から５〜１０ｃｍ下方の位置まで）、端部を重ね合わせ可能な構成とし、下腿部覆い４０の上側内表面が使用者の下腿部により密着し易い構成にすることもできる。この場合、切り込み４１から湯が漏れ出さないように、切り込み４１の両側を連接する薄いシート４２を下腿部覆い４０の内側に設けることが好ましい。
【００２７】
続いて、足浴ブーツ１０の使用方法について、図１を参照しながら説明する。
まず、下腿部覆い１３の上側開口部１５から足浴ブーツ１０内へ湯１６を供給する。なお、湯１６の供給量は、使用者が足浴ブーツ１０内に足１２ａと下腿部１３ａを入れても湯１６が溢れ出さない範囲で調整する。このとき、必要に応じて、湯１６に入浴剤（例えば、重炭酸等の温泉成分）等を入れることもできる。
そして、湯１６を入れた足浴ブーツ１０内に足１２ａと下腿部１３ａを入れる。このとき、必要に応じて湯１６を供給し、足浴ブーツ１０内の湯面高さを調整する。
【００２８】
次に、バンド部材３０の長手方向先側を、下腿部覆い１３の後ろ側から下腿部覆い１３の外周に沿って、途中ガイド３４を通過して外回りに巻回し、下腿部覆い１３の内側（対となる足浴ブーツの内側）で、フックテープ３２をループテープ３１に押し付ける。
これにより、下腿部覆い１３の上側開口部１５の開口面積を減少させることができ、下腿部覆い１３の上側内表面を使用者の下腿部に密着させることができる。
従って、構成が簡単で持ち運び易く、履いた状態で歩行することもできる。
【００２９】
以上、本考案を、実施の形態を参照して説明してきたが、本考案は何ら上記した実施の形態に記載の構成に限定されるものではなく、実用新案登録請求の範囲に記載されている事項の範囲内で考えられるその他の実施の形態や変形例も含むものである。例えば、前記したそれぞれの実施の形態や変形例の一部又は全部を組合せて本考案の足浴ブーツを構成する場合も本考案の権利範囲に含まれる。
前記実施の形態においては、左右対となる足浴ブーツが鏡面対称の形状である場合について説明したが、同一形状（左右のいずれの足で履くことも可能な形状）でもよい。
また、例えば、片方の足を怪我した人が足浴ブーツを使用する場合は、片側（左側又は右側）の足浴ブーツのみを使用することもできる。
【００３０】
そして、前記実施の形態においては、足浴ブーツをつま先側から視て、足覆いと下腿部覆いを、左右に分割された第２、第３の分割シートで構成した場合について説明したが、これに限定されるものではなく、例えば、足覆いと下腿部覆いをそれぞれ異なる分割シートで構成することもできる。
更に、足浴ブーツは、使用者の足及び下腿部よりも大きく形成されるものであるため、そのサイズは、使用者の足及び下腿部に完全に一致する必要はなく、例えば、Ｓ、Ｍ、Ｌのように設定できるが、必要に応じて、より細かくサイズ設定を行うこともできる。
【符号の説明】
【００３１】
１０：足浴ブーツ、１１：靴底、１２：足覆い、１２ａ：足、１３：下腿部覆い、１３ａ：下腿部、１４：空隙部、１５：上側開口部、１６：湯、１７：シート材、１８：第１の分割シート、１９：第２の分割シート、２０：第３の分割シート、２１：ゴムシート、２２：ジャージ生地、２３：ゴムシート、２４：ジャージ生地、２５〜２７：突合せ部、２８：糸、２９：補強部材、３０：バンド部材、３１：ループテープ、３２：フックテープ、３３：面ファスナー、３４：ガイド、４０：下腿部覆い、４１：切り込み、４２：シート
【図１】
0003217873.tif 000003
【図２】
0003217873.tif 000004
【図３】
0003217873.tif 000005
【図４】
0003217873.tif 000006